(57)【要約】【課題】チャンネル位置を容易に認識することができる通信端局装置を提供する。【解決手段】通信端局装置は、チャンネル位置を認識するために通信端局装置の設置場所、名称・種別、収容ユニット位置およびチャンネル収容位置を判定するためのチャンネル位置認識装置としてのビット判定用ピン装置２０、ビット判定用挿入孔装置３０およびビット判定部４０と、チャンネル位置認識装置によって判定された通信端局装置の設置場所、名称・種別、収容ユニット位置およびチャンネル収容位置を表示するための表示装置５０とを具備する。ビット判定用ピン装置２０は、ビット判定用挿入孔装置３０に設けられたピン挿入孔３１ａがシャッタ３２で閉じられているとピン２２の末端が当ってハイレベルの出力信号Ｓiを出力する、かつ、ピン挿入孔３１ａがシャッタ３２で閉じられていないとピン２２の末端が離れてローレベルの出力信号Ｓiを出力する接触センサ２４を備える。【選択図】図１
2011142380.tif 000002
【特許請求の範囲】
【請求項１】
複数個のユニットを備えた、かつ、該複数個のユニットの各々に複数個の回線収容基盤（１２）が取り付けられる通信端局装置であって、
チャンネル位置を認識するために前記通信端局装置の設置場所、名称・種別、収容ユニット位置およびチャンネル収容位置を判定するためのチャンネル位置認識装置と、
該チャンネル位置認識装置によって判定された前記通信端局装置の設置場所、名称・種別、収容ユニット位置およびチャンネル収容位置を表示するための表示装置（５０）と、
を具備することを特徴とする、通信端局装置。
【請求項２】
前記チャンネル位置認識装置が、
前記回線収容基盤（１２）の基盤本体（１２ａ）に取り付けられたビット判定用ピン装置（２０）と、
前記通信端局装置の通信端局装置本体のバックボードに取り付けられたビット判定用挿入孔装置（３０）と、
前記回線収容基盤の前記基盤本体に設けられたビット判定部（４０）とを備え、
前記ビット判定用ピン装置が、
複数本のピン（２２）と、
複数個の接触センサ（２４）と、
前記回線収容基盤が前記通信端局装置本体に取り付けられていないときには前記複数本のピンの末端が前記複数個の接触センサに接触しない方向に該複数本のピンをそれぞれ付勢する複数個のバネ（２３）とを備え、
前記ビット判定用挿入孔装置が、
前記複数本のピンをそれぞれ挿入することができる複数個のピン挿入孔（３１ａ）と、
該複数個のピン挿入孔をそれぞれ閉塞するための複数個のピン挿入孔閉塞手段（３２）とを備える、
ことを特徴とする、請求項１記載の通信端局装置。
【請求項３】
前記複数個の接触センサが、
前記複数個のピン挿入孔が前記複数個のピン挿入孔閉塞手段によってそれぞれ閉塞されていると、前記回線収容基盤を前記通信端局装置本体に取り付けるときに前記複数本のピンの先端が該複数個のピン挿入孔閉塞手段に当って該複数本のピンが前記バネの付勢力に抗して前記複数個の接触センサに向かって移動することにより、該複数本のピンの末端が該接触センサにそれぞれ接触して、第１のレベルの複数個の出力信号（Ｓ1〜Ｓ20）を前記ビット判定部にそれぞれ出力し、
前記複数個のピン挿入孔が前記複数個のピン挿入孔閉塞手段によって閉塞されていないと、前記回線収容基盤を前記通信端局装置本体に取り付けるときに前記複数本のピンの先端部が前記ビット判定用挿入孔装置の前記複数個のピン挿入孔を通過していくことにより、該複数本のピンの末端が前記複数個の接触センサにそれぞれ接触せず、前記第１のレベルとは異なる第２のレベルの前記複数個の出力信号（Ｓ1〜Ｓ20）を前記ビット判定部にそれぞれ出力し、
前記ビット判定部が、前記ビット判定用ピン装置から入力される前記複数個の出力信号（Ｓ1〜Ｓ20）のレベルに応じて前記通信端局装置の設置場所、名称・種別、収容ユニット位置およびチャンネル収容位置を判定する、
ことを特徴とする、請求項２記載の通信端局装置。
【請求項４】
前記ビット判定部が、
前記ビット判定用ピン装置（２０）の前記複数個の出力信号（Ｓ1〜Ｓ20）のレベルと前記通信端局装置の設置場所、名称・種別、収容ユニット位置およびチャンネル収容位置との対応関係を示すビット判定用テーブルが格納されたメモリ（４２）と、
前記ビット判定用ピン装置から前記複数個の出力信号が入力されると、前記メモリから読み出した前記ビット判定用テーブルを参照して、該複数個の出力信号のレベルに応じて前記通信端局装置の設置場所、名称・種別、収容ユニット位置およびチャンネル収容位置を判定するとともに、該判定した結果を前記表示装置（５０）に表示させるビット判定回路（４１）と、
を備えることを特徴とする、請求項３記載の通信端局装置。
【請求項５】
前記ビット判定用ピン装置（２０）が、前記回線収容基盤（１２）の前記基盤本体（１２ａ）の後面に取り付けられており、
前記表示装置（５０）が、前記回線収容基盤（１２）の前記基盤本体（１２ａ）の前面に取り付けられた接続端子（１２ｂ）に設けられている、
ることを特徴とする、請求項２乃至４いずれかに記載の通信端局装置。
【発明の詳細な説明】
【技術分野】
【０００１】
本発明は、通信端局装置に関し、特に、チャンネル位置（通信回線収容位置）を認識するのに好適な通信端局装置に関する。
【背景技術】
【０００２】
電力会社では各種の通信を行うために通信装置を変電所などに設置しているが、このような通信装置は図７に示すような通信端局装置１１０を備えている。
【０００３】
ここで、通信端局装置１１０は、最大で４個のユニット１１１を備えることができるようにされている。図７では、通信端局装置１１０は３個のユニット１１１を備えている。
【０００４】
各ユニット１１１には、最大で１２個の回線収容基盤（チャンネルシート）１１２（図８参照）が、通信端局装置１１０の通信端局装置本体（不図示）に抜き差し可能に取り付けられるようになっている。図７では、最上段のユニット１１１に６個の回線収容基盤１１２が取り付けられ、中段のユニット１１１に８個の回線収容基盤１１２が取り付けられ、最下段のユニット１１１に６個の回線収容基盤１１２が取り付けられている。
【０００５】
回線収容基盤１１２は、２個のチャンネルを収容するようになっており、図８に示すように、基盤本体１１２ａと、基盤本体１１２ａの前面側の上面に並んで取り付けられた２個の接続端子１１２ｂ（接続線が接続される。）と、基盤本体１１２ａの後面側の上面の中央部に取り付けられた接続コネクタピン１１２ｃ（複数個の接続ピンが接続コネクタピン１１２ｃの長手方向に沿って上下に二列並んで半分ずつ設けられている。）とを備える。
【０００６】
回線収容基盤１１２は、通信端局装置本体のバックボードの中央部に取り付けられた接続コネクタピン挿入孔１１０ａ（接続コネクタピン１１２ｃの複数個の接続ピンがそれぞれ挿入される複数個の挿入孔が、接続コネクタピン挿入孔１１０ａの長手方向に沿って上下に二列並んで半分ずつ形成されている。）に接続コネクタピン１１２ｃを挿入することにより、通信端局装置本体に抜き差し可能に取り付けられる。
【０００７】
各ユニット１１１では、図９に示すように、最大で１２個の回線収容基盤１１２に対して、回線収容基盤１１２の図示左側の接続端子１１２ｂには上から下に向かって奇数チャンネルがチャンネル１からチャンネル２３の順番で割り振られ、回線収容基盤１１２の図示右側の接続端子１１２ｂには上から下に向かって偶数チャンネルがチャンネル２からチャンネル２４の順番で割り振られる。
すなわち、たとえば、同図図示最上段の回線収容基盤１１２については、図示左側の接続端子１１２ｂにはチャンネル１が割り振られ、図示右側の接続端子１１２ｂにはチャンネル２が割り振られ、また、同図図示上から３番目の回線収容基盤１１２については、図示左側の接続端子１１２ｂにはチャンネル５が割り振られ、図示右側の接続端子１１２ｂにはチャンネル６が割り振られる。
【０００８】
なお、下記の特許文献１には、ＩＰ網に接続される回線収容装置の予備基板の切換が速やで収容接続管理装置とＩＰ網の容量に負担をかけないようにするために、収容接続管理装置の監視制御部が、回線収容装置の各回線収容基板の動作を監視し、異常を検出した回線収容基板がパケット処理に用いているデータを収容接続管理装置がローカルＩＰ網を介して中継することなく、予備基板である回線収容基板へレイヤ２スイッチを介して回線収容装置内部で転送してデータをコピーさせることにより切換のスタンバイをさせ、コピー完了次第回線系統と信号を入出力する運用基板を回線収容基板から回線収容基板に切り換える回線収容接続システムが開示されている。
【先行技術文献】
【特許文献】
【０００９】
【特許文献１】特開２００８−３１１７７８号公報
【発明の概要】
【発明が解決しようとする課題】
【００１０】
しかしながら、上述したような通信端局装置１１０では、チャンネル位置を認識するためには通信端局装置の設置場所、名称または種別（以下、「名称・種別」と称する。）、収容ユニット位置およびチャンネル収容位置を判定する必要があるが、作業員は通信装置明示盤、ユニット１１１の収容位置および回線収容基盤１１２の位置を目視で確認してチャンネル位置を認識しているため、チャンネル位置を誤認識し易いという問題があった。
【００１１】
本発明の目的は、チャンネル位置を容易に認識することができる通信端局装置を提供することにある。
【課題を解決するための手段】
【００１２】
本発明の通信端局装置は、複数個のユニットを備えた、かつ、該複数個のユニットの各々に複数個の回線収容基盤（１２）が取り付けられる通信端局装置であって、チャンネル位置を認識するために前記通信端局装置の設置場所、名称・種別、収容ユニット位置およびチャンネル収容位置を判定するためのチャンネル位置認識装置と、該チャンネル位置認識装置によって判定された前記通信端局装置の設置場所、名称・種別、収容ユニット位置およびチャンネル収容位置を表示するための表示装置（５０）とを具備することを特徴とする。
ここで、前記チャンネル位置認識装置が、前記回線収容基盤（１２）の基盤本体（１２ａ）に取り付けられたビット判定用ピン装置（２０）と、前記通信端局装置の通信端局装置本体のバックボードに取り付けられたビット判定用挿入孔装置（３０）と、前記回線収容基盤の前記基盤本体に設けられたビット判定部（４０）とを備え、前記ビット判定用ピン装置が、複数本のピン（２２）と、複数個の接触センサ（２４）と、前記回線収容基盤が前記通信端局装置本体に取り付けられていないときには前記複数本のピンの末端が前記複数個の接触センサに接触しない方向に該複数本のピンをそれぞれ付勢する複数個のバネ（２３）とを備え、前記ビット判定用挿入孔装置が、前記複数本のピンをそれぞれ挿入することができる複数個のピン挿入孔（３１ａ）と、該複数個のピン挿入孔をそれぞれ閉塞するための複数個のピン挿入孔閉塞手段（３２）とを備えてもよい。
前記複数個の接触センサが、前記複数個のピン挿入孔が前記複数個のピン挿入孔閉塞手段によってそれぞれ閉塞されていると、前記回線収容基盤を前記通信端局装置本体に取り付けるときに前記複数本のピンの先端が該複数個のピン挿入孔閉塞手段に当って該複数本のピンが前記バネの付勢力に抗して前記複数個の接触センサに向かって移動することにより、該複数本のピンの末端が該接触センサにそれぞれ接触して、第１のレベルの複数個の出力信号（Ｓ1〜Ｓ20）を前記ビット判定部にそれぞれ出力し、前記複数個のピン挿入孔が前記複数個のピン挿入孔閉塞手段によって閉塞されていないと、前記回線収容基盤を前記通信端局装置本体に取り付けるときに前記複数本のピンの先端部が前記ビット判定用挿入孔装置の前記複数個のピン挿入孔を通過していくことにより、該複数本のピンの末端が前記複数個の接触センサにそれぞれ接触せず、前記第１のレベルとは異なる第２のレベルの前記複数個の出力信号（Ｓ1〜Ｓ20）を前記ビット判定部にそれぞれ出力し、前記ビット判定部が、前記ビット判定用ピン装置から入力される前記複数個の出力信号（Ｓ1〜Ｓ20）のレベルに応じて前記通信端局装置の設置場所、名称・種別、収容ユニット位置およびチャンネル収容位置を判定してもよい。
前記ビット判定部が、前記ビット判定用ピン装置（２０）の前記複数個の出力信号（Ｓ1〜Ｓ20）のレベルと前記通信端局装置の設置場所、名称・種別、収容ユニット位置およびチャンネル収容位置との対応関係を示すビット判定用テーブルが格納されたメモリ（４２）と、前記ビット判定用ピン装置から前記複数個の出力信号が入力されると、前記メモリから読み出した前記ビット判定用テーブルを参照して、該複数個の出力信号のレベルに応じて前記通信端局装置の設置場所、名称・種別、収容ユニット位置およびチャンネル収容位置を判定するとともに、該判定した結果を前記表示装置（５０）に表示させるビット判定回路（４１）とを備えてもよい。
前記ビット判定用ピン装置（２０）が、前記回線収容基盤（１２）の前記基盤本体（１２ａ）の後面に取り付けられており、前記表示装置（５０）が、前記回線収容基盤（１２）の前記基盤本体（１２ａ）の前面に取り付けられた接続端子（１２ｂ）に設けられていてもよい。
【発明の効果】
【００１３】
本発明の通信端局装置は、以下に示す効果を奏する。
（１）通信端局装置の設置場所、名称・種別、収容ユニット位置およびチャンネル収容位置を表示装置に常に表示することができるため、作業員はチャンネル位置を容易に認識することができる。
（２）作業員の誤認識を防止することができるため、信頼性の向上が図れる。
【図面の簡単な説明】
【００１４】
【図１】本発明の一実施例による通信端局装置に取り付けられる回線収容基盤１０の構成を説明するための図である。
【図２】図１に示したビット判定用ピン装置２０およびビット判定用挿入孔装置３０の構成を示す図であり、（ａ）はビット判定用ピン装置２０の背面図であり、（ｂ）はビット判定用挿入孔装置３０の正面図である。
【図３】図１に示したビット判定用ピン装置２０およびビット判定用挿入孔装置３０の構成を示す図であり、（ａ）はビット判定用ピン装置２０の図２のＡ−Ａ線断面図であり、（ｂ）はビット判定用挿入孔装置３０の図２のＡ−Ａ線断面図である。
【図４】図１に示したビット判定用ピン装置２０およびビット判定用挿入孔装置３０の機能を説明するための図である。
【図５】図１に示したビット判定部４０の構成を示すブロック図である。
【図６】図１に示した表示装置５０に表示される画面の一例を示す図である。
【図７】従来の通信端局装置１１０の構成を説明するための図である。
【図８】図７に示した回線収容基盤１１２の構成を説明するための図である。
【図９】図７に示した各ユニット１１１でのチャンネルの割振り方法を説明するための図である。
【発明を実施するための形態】
【００１５】
上記の目的を、回線収容基盤を通信端局装置本体に取り付ける際に複数本のピンの末端が複数個の接触センサにそれぞれ接触したか否かによって通信端局装置の設置場所、名称・種別、収容ユニット位置およびチャンネル収容位置を判定できるようにするとともに、回線収容基盤に取り付けた表示装置にその判定結果を表示させることにより実現した。
【実施例１】
【００１６】
以下、本発明の通信端局装置の実施例について図面を参照して説明する。
本発明の一実施例による通信端局装置は、以下に示す点で、図７に示した通信端局装置１１０と異なる（図１参照）。
（１）通信端局装置の設置場所、名称・種別、収容ユニット位置およびチャンネル収容位置を判定するためのチャンネル位置認識装置を具備する。
（２）チャンネル位置認識装置によって判定した設置場所、名称・種別、収容ユニット位置およびチャンネル収容位置などを表示するための表示装置５０を具備する。
【００１７】
ここで、チャンネル位置認識装置は、図１に示すように、回線収容基盤（チャンネルシート）１２の基盤本体１２ａの後面側の上面の接続コネクタピン１２ｃの両側に取り付けられた２個のビット判定用ピン装置２０と、この通信端局装置の通信端局装置本体（不図示）のバックボードの接続コネクタ挿入孔１１０ａの両側に取り付けられた２個のビット判定用挿入孔装置３０と、回線収容基盤１２の基盤本体１２ａに設けられたビット判定部４０とを備える。
【００１８】
ビット判定用ピン装置２０は、図２（ａ）および図３（ａ）に示すように、中空の箱型形状を有する本体２１と、２０本のピン２２と、２０個の圧縮コイルバネ２３と、２０個の接触センサ２４とを備える。
【００１９】
本体２１の裏板には、２０個の貫通孔２１ａが本体２１の長手方向に沿って上下に二列並んで１０個ずつ形成されている。
【００２０】
２０本のピン２２は、本体２１の長手方向に沿って上下に二列並んで１０本ずつ設けられており、また、２０個の貫通孔２１ａをそれぞれ貫通している。
ピン２２の長手方向の中央部の外周面には、円板２２ａが取り付けられている。
【００２１】
圧縮コイルバネ２３は、本体２１の裏板と円板２２ａとの間に取り付けられている。すなわち、ピン２２は本体２１の裏板の外面と円板２２ａとの間で圧縮コイルバネ２３を貫通しており、回線収容基盤１２を通信端局装置本体に差し込んでいない状態では、圧縮コイルバネ２３の付勢力によってピン２２の末端が接触センサ２４から離れるようにされている。
【００２２】
接触センサ２４は、本体２１の表板の内面に、かつ、本体２１の裏板に形成された貫通孔２１ａと対向する位置に取り付けられている。すなわち、ピン２２の先端を圧縮コイルバネ２３の付勢力に抗して本体２１の裏板に向かって押していくと、ピン２２の末端が接触センサ２４と接触するようにされている（図４（ｂ）参照）。
接触センサ２４は、ピン２２の末端が接触すると、ハイレベル（第１のレベル）の出力信号Ｓi（ｉ＝１〜２０）をビット判定部４０に出力する。
【００２３】
なお、以下の説明では、ビット判定用ピン装置２０の上段の左側から右側に向けて取り付けられた１０個の接触センサ２４から１０個の出力信号Ｓ1〜Ｓ10がそれぞれ出力され、ビット判定用ピン装置２０の下段の左側から右側に向けて取り付けられた１０個の接触センサ２４から１０個の出力信号Ｓ11〜Ｓ20がそれぞれ出力されるとする。
【００２４】
また、６個の出力信号Ｓ1〜Ｓ6（６ビット）は通信端局装置の設置場所を示し、７個の出力信号Ｓ7〜Ｓ13（７ビット）は通信端局装置の名称・種別を示し、２個の出力信号Ｓ14，Ｓ15（２ビット）は通信端局装置の収容ユニット位置を示し、５個の出力信号Ｓ16〜Ｓ20（５ビット）は通信端局装置のチャンネル収容位置を示すものとする。
たとえば、６個の出力信号Ｓ1〜Ｓ6のレベルがＳ1〜Ｓ5＝０およびＳ6＝１（０００００１）であるときには、通信端局装置の設置場所が“○○変電所”であることを示し、７個の出力信号Ｓ7〜Ｓ13のレベルがＳ7〜Ｓ12＝０およびＳ13＝１（００００００１）であるときには、通信端局装置の名称・種別が“１．５Ｍ光端局装置”であることを示し、２個の出力信号Ｓ14，Ｓ15のレベルがＳ14＝０およびＳ15＝１（０１）であるときには、通信端局装置の収容ユニット位置が“ユニット１”であることを示し、５個の出力信号Ｓ16〜Ｓ20のレベルがＳ16〜Ｓ19＝０およびＳ20＝１（００００１）であるときには、通信端局装置のチャンネル収容位置が“チャンネル１”であることを示す。
【００２５】
ビット判定用挿入孔装置３０は、図２（ｂ）および図３（ｂ）に示すように、中空の箱型形状を有する本体３１と、Ｌ字状の横断面形状を有する２０個のシャッタ３２とを備える。
【００２６】
本体３１の表板には、回線収容基盤１２を通信端局装置本体に差し込むとビット判定用ピン装置２０の２０本のピン２２の先端部をそれぞれ挿入することができるようにされた２０個のピン挿入孔３１ａが形成されている。
また、本体３１の表板には、２０個のシャッタ３２を挿入するための２０個のシャッタ挿入孔３１ｂが形成されている。すなわち、２０個のシャッタ３２を図３（ｂ）に矢印で示すように２０個のシャッタ挿入孔３１ｂにそれぞれ挿入することにより、２０個のシャッタ３２で２０個のピン挿入孔３１ａをそれぞれ閉じることができるようにされている。
【００２７】
これにより、図４（ａ）に示すようにシャッタ挿入孔３１ａがシャッタ３２によって閉じられていない場合には、回線収容基盤１２を通信端局装置本体に差し込むと、ピン２２の先端部はビット判定用挿入孔装置３０のピン挿入孔３１ａを通過してビット判定用挿入孔装置３０の本体３１内に入り込むため、ピン２２の末端が接触センサ２４に接触することはない。そのため、接触センサ２４からは、ローレベル（第２のレベル）の出力信号Ｓi（ｉ＝１〜２０）がビット判定部４０に出力される。
【００２８】
一方、図４（ｂ）に示すようにシャッタ挿入孔３１ａがシャッタ３２によって閉じられている場合には、回線収容基盤１２を通信端局装置本体に差し込むと、ピン２２の先端部がシャッタ３２に当ってピン２２が圧縮コイルバネ２３の付勢力に抗して接触センサ２４に向かって移動することにより、ピン２２の末端が接触センサ２４に接触する。そのため、接触センサ２４からは、ハイレベルの出力信号Ｓi（ｉ＝１〜２０）がビット判定部４０に出力される。
このとき、圧縮コイルバネ２３は円板２２ａによってビット判定用ピン装置２０の本体２１の裏板に向かって押されて縮むが、回線収容基盤１２を通信端局装置本体から抜くと、ピン２２の先端が開放されるため、ピン２２の末端が圧縮コイルバネ２３の付勢力によって接触センサ２４から離れる。
【００２９】
ビット判定部４０は、図５に示すように、ビット判定回路４１と、メモリ４２と、表示制御装置４３とを備える。
【００３０】
メモリ４２には、ビット判定用ピン装置２０の２０個の出力信号Ｓ1〜Ｓ20のレベル（ハイレベルまたはローレベル）と通信端局装置の設置場所、名称・種別、収容ユニット位置およびチャンネル収容位置との対応関係を示すビット判定用テーブルが格納されている。
また、メモリ４２には、通信端局装置の設置場所、名称・種別、収容ユニット位置およびチャンネル収容位置と対応付けられた電話回線を示す電話回線テーブルも格納されている。
【００３１】
ビット判定回路４１は、２個のビット判定用ピン装置２０から２０個の出力信号Ｓ1〜Ｓ20がそれぞれ入力されると、メモリ４２から読み出したビット判定用テーブルを参照して、２０個の出力信号Ｓ1〜Ｓ20のレベルによって示される通信端局装置の設置場所、名称・種別、収容ユニット位置およびチャンネル収容位置を判定する。
すなわち、ビット判定回路４１は、６個の出力信号Ｓ1〜Ｓ6のレベルによって通信端局装置の設置場所を判定し、７個の出力信号Ｓ7〜Ｓ13のレベルによって通信端局装置の名称・種別を判定し、２個の出力信号Ｓ14，Ｓ15のレベルによって通信端局装置の収容ユニット位置を判定し、５個の出力信号Ｓ16〜Ｓ20のレベルによって通信端局装置のチャンネル収容位置を判定する。
【００３２】
ビット判定回路４１は、メモリ４２から読み出した電話回線テーブルを参照して、判定した通信端局装置の設置場所、名称・種別、収容ユニット位置およびチャンネル収容位置に対応する電話回線を判定する。
【００３３】
ビット判定回路４１は、表示制御装置４３を制御して、２個のビット判定用ピン装置２０の出力信号Ｓ1〜Ｓ20に基づく２つの判定結果（判定した通信端局装置の設置場所、名称・種別、収容ユニット位置およびチャンネル収容位置と判定した電話回線）を２個の表示装置５０にそれぞれ表示させる。
すなわち、ビット判定回路４１は、図１図示左側のビット判定用ピン装置２０の出力信号Ｓ1〜Ｓ20に基づく判定結果を同図図示左側の表示装置５０に表示させ、同図図示右側のビット判定用ピン装置２０の出力信号Ｓ1〜Ｓ20に基づく判定結果を同図図示右側の表示装置５０に表示させる。
【００３４】
２個の表示装置５０は、回線収容基盤１２の基盤本体１２ａの前面に取り付けられた２の２個の接続端子１２ｂにそれぞれ設けられている。
図６に、表示装置５０に表示される判定結果の一例を示す。
この例は、２０個の出力信号Ｓ1〜Ｓ20のレベルが“０００００１００００００１０１００００１”（すなわち、Ｓ1〜Ｓ5＝０、Ｓ6＝１、Ｓ7〜Ｓ12＝０、Ｓ13＝１、Ｓ14＝０、Ｓ15＝１、Ｓ16〜Ｓ19＝０およびＳ20＝１）であるときのものであり、通信端局装置の設置場所＝○○変電所、通信端局装置の名称・種別＝１．５Ｍ光端局装置、通信端局装置の収容ユニット位置＝ユニット１、通信端局装置のチャンネル収容位置＝チャンネル１および電話回線＝△〜□電話回線という判定結果が表示されている。
これにより、本実施例による通信端局装置では、ビット判定用挿入孔装置３０の２０個のピン挿入孔３１ａのうち所定のものをシャッタ３２で閉じておくことにより、回線収容基盤１２の接続端子１２ｂに設けられた表示装置５０に通信端局装置の設置場所、名称・種別、収容ユニット位置、チャンネル収容位置および電話回線を常に表示することができるため、作業員はチャンネル位置を容易に認識することができる。
【００３５】
以上の説明では、ビット判定用ピン装置２０では、２０本のピン２２を本体２１の長手方向に沿って上下に二列並んで１０本ずつ設けたが、本体２１の長手方向に沿って一列に設けてもよい。この場合には、ビット判定用挿入孔装置３０では、ピン挿入孔３１ａは本体３１の長手方向に沿って一列に設ける。
【００３６】
また、ビット判定用挿入孔装置３０では、ピン挿入孔３１ａを閉塞するためのピン挿入孔閉塞手段として、ピン挿入孔３１ａを閉じるシャッタ３２を用いたが、ピン挿入孔３１ａを塞ぐ蓋などを用いてもよい。
【００３７】
さらに、圧縮コイルバネ２３を用いたが、引張コイルバネを用いてもよい。この場合には、図３（ａ）に示した円板２２ａをピン２２の末端側の外周面に取り付けて、引張コイルバネを本体２１内の本体２１の裏板と円板２２ａとの間に取り付ける。すなわち、この場合には、ピン２２は本体２１の裏板の内面と円板２２ａとの間で引張コイルバネを貫通しており、回線収容基盤１２を通信端局装置本体に差し込んでいない状態では、ピン２２の末端が引張コイルバネの付勢力によって接触センサ２４から離れるようにされる。
【符号の説明】
【００３８】
１２，１１２  回線収容基盤（チャンネルシート）
１２ａ，１１２ａ  基盤本体
１２ｂ，１１２ｂ  接続端子
１２ｃ，１１２ｃ  接続コネクタピン
２０  ビット判定用ピン装置
２１  本体
２２  ピン
２２ａ  円板
２３  圧縮コイルバネ
２４  接触センサ
３０  ビット判定用挿入孔装置
３１  本体
３１ａ  ピン挿入孔
３１ｂ  シャッタ挿入孔
３２  シャッタ
４０  ビット判定部
４１  ビット判定回路
４２  メモリ
４３  表示制御装置
５０  表示装置
１１０  通信端局装置
１１０ａ  接続コネクタピン挿入孔
１１１  ユニット
Ｓ1〜Ｓ20  出力信号
【図１】
2011142380.tif 000003
【図２】
2011142380.tif 000004
【図３】
2011142380.tif 000005
【図４】
2011142380.tif 000006
【図５】
2011142380.tif 000007
【図６】
2011142380.tif 000008
【図７】
2011142380.tif 000009
【図８】
2011142380.tif 000010
【図９】
2011142380.tif 000011